(57)【要約】【課題】ヒートポンプによる衣類の乾燥をする状態から衣類乾燥機が設置されたスペースの冷房をする状態に切換える風路切換ダンパ及び開閉部材の切換え駆動が、別々の駆動装置を要することなくできるようにする。【解決手段】上記風路切換ダンパ５０及び開閉部材５５を、共通の駆動装置５８により切換え駆動するようにした。これにより、コスト安に実現できると共に、組立て等を煩雑にすることもないようにできる。【選択図】図１
2008284142.tif 000002
【特許請求の範囲】
【請求項１】
乾燥室の空気を、ヒートポンプの蒸発器、凝縮器を配設した通風路を通して循環させることにより衣類を乾燥させ、
風路切換ダンパにより、前記通風路から機外に通じた吐風路の開放をし、通風路外の空気を前記通風路に設けた吸気口から前記蒸発器、前記吐風路、並びに該吐風路に設けた開閉部材が開放した出口部を通して機外に吐出するように切換えるものにおいて、
前記風路切換ダンパ及び前記開閉部材を、共通の駆動装置により切換え駆動するようにしたことを特徴とする衣類乾燥機。
【請求項２】
駆動装置の駆動状態を検知する検知手段を有することを特徴とする請求項１記載の衣類乾燥機。
【請求項３】
駆動装置が、駆動源としてのモータと、このモータの回転動力を風路切換ダンパ及び前記開閉部材に伝える伝動機構、検知手段、及び前記モータと検知手段を収納するケースをユニット化して成ることを特徴とする請求項２記載の衣類乾燥機。
【請求項４】
開閉部材の伝動連結が可撓部にてなされ、過負荷時にその可撓部が撓んで開閉部材への伝動を回避するようになっていることを特徴とする請求項１記載の衣類乾燥機。
【発明の詳細な説明】
【技術分野】
【０００１】
本発明は、衣類の乾燥用にヒートポンプを具えた衣類乾燥機に関する。
【背景技術】
【０００２】
従来より、衣類乾燥機において、衣類の乾燥用にヒートポンプを具えたものは、乾燥性能が良く、エネルギーの省減に効果があるものとして注目されている。このヒートポンプを具えた衣類乾燥機においては、衣類を収容する乾燥室の空気を、ヒートポンプの蒸発器と凝縮器とを配設した通風路を通して循環させ、そのうちの蒸発器で空気の冷却除湿をし、凝縮器で空気の加熱をして、乾燥室に逐次送り込み、そして又、衣類から水分を奪った空気を通風路に通すということを繰り返すことにより、衣類を漸次乾燥させるようにしている。
【０００３】
従って、衣類を乾燥させる際に発生する水分を蒸発器で回収し、その折りに吸収した潜熱を圧縮機により高温の冷媒状態に変換し、凝縮器で空気を加熱するエネルギーとして再使用する。このようにすることで、外部には僅かな放熱ロスがある以外、ほとんどエネルギーを逃がさず再利用できる。従って、効率の良い乾燥を実現できるのである。
【０００４】
しかして、このものにおいては、風路切換ダンパにより、前記通風路から機外に通じた吐風路の開放をし、通風路外の空気を前記通風路に設けた吸気口から前記蒸発器、前記吐風路、並びに該吐風路に設けた開閉部材が開放した出口部を通して機外に吐出するように切換えることにより、衣類乾燥機が設置された洗面室等のスペースの冷房をすることが考えられている（例えば特許文献１参照）。
【特許文献１】特開平９−５６９９２号公報
【発明の開示】
【発明が解決しようとする課題】
【０００５】
上述のごとく考えられたものの場合、風路切換ダンパ及び開閉部材は、それぞれ別個の駆動装置により切換え駆動するように考えられている。そのため、別々の駆動装置が必要であり、コスト高になると共に、組立て等も煩雑になるという欠点を有する。
【０００６】
本発明は上述の事情に鑑みてなされたものであり、従ってその目的は、ヒートポンプによる衣類の乾燥をする状態から衣類乾燥機が設置されたスペースの冷房をする状態に切換える風路切換ダンパ及び開閉部材の切換え駆動が、別々の駆動装置を要することなくできて、コスト安に実現できると共に、組立て等を煩雑にすることのない衣類乾燥機を提供するにある。
【課題を解決するための手段】
【０００７】
上記目的を達成するために、本発明の衣類乾燥機においては、乾燥室の空気を、ヒートポンプの蒸発器、凝縮器を配設した通風路を通して循環させることにより衣類を乾燥させ、風路切換ダンパにより、前記通風路から機外に通じた吐風路の開放をし、通風路外の空気を前記通風路に設けた吸気口から前記蒸発器、前記吐風路、並びに該吐風路に設けた開閉部材が開放した出口部を通して機外に吐出するように切換えるものにおいて、前記風路切換ダンパ及び前記開閉部材を、共通の駆動装置により切換え駆動するようにしたことを特徴とする（請求項１の発明）。
【発明の効果】
【０００８】
上記手段によれば、風路切換ダンパ及び開閉部材を、共通の駆動装置により切換え駆動するから、風路切換ダンパ及び開閉部材の切換え駆動が別々の駆動装置を要することなくできて、コスト安に実現できると共に、組立て等を煩雑にすることもないようにできる。
【発明を実施するための最良の形態】
【０００９】
以下、本発明を洗濯乾燥機に適用して、その一実施例（一実施形態）につき、図面を参照して説明する。
まず、図３には、洗濯乾燥機、中でもドラム式（横軸形）洗濯乾燥機の全体構成を示しており、外箱１の内部に、水槽２を配設し、水槽２の内部に回転槽（ドラム）３を配設している。
【００１０】
上記水槽２及び回転槽３は、ともに軸方向が前後の横軸円筒状を成すもので、前側（図中、左側）の端面部にそれぞれの開口部４，５を有している。このうち、回転槽３の開口部５は洗濯物（衣類）出し入れ用であり、それを水槽２の開口部４が囲繞している。又、水槽２の開口部４は、外箱１の前面部に形成した洗濯物出し入れ用の開口部６にベローズ７で連ねており、外箱１の開口部６には扉８を開閉可能に設けている。
【００１１】
回転槽３には又、周側部（胴部）のほゞ全域に多数の孔９を形成しており（一部のみ図示）、この孔９は、洗濯時及び脱水時に通水孔として機能し、乾燥時には通風孔として機能するようになっている。加えて、回転槽３の内周面には、洗濯物掻き上げ用のバッフル１０を複数個（１つのみ図示）設けている。
水槽２には、前側の端面部の上部に温風出口１１を形成し、後側の端面部の上部に温風入口１２を形成している。このほか、水槽２の底部の最後部には排水弁１３を取付け、更に、排水弁１３に排水ホース１４を接続して、これらにより水槽２内の水を機外に排出するようにしている。
【００１２】
回転槽３の後側の端面部の後面（背面）には、補強部材１５を取付けており、この補強部材１５を介して回転槽３を直接的に回転駆動する例えばアウターロータ形のモータ１６を、水槽２の背面部に取付けている。補強部材１５には中心部周りに温風導入口１７を形成しており、それに対向して、回転槽３の後側の端面部には、多数の温風導入孔１８を形成している。他方、補強部材１５と水槽２の後側の端面部との間には、前記温風入口１２から温風導入口１７に連なる温風通路１９を、温風カバー２０及びシール部材２１によって形成している。
【００１３】
なお、水槽２は、図示しないサスペンションにより前記外箱１の底板上に弾性支持しており、その支持形態は、前記横軸状で、しかも前上がりの傾斜状であり、この水槽２に前記モータ１６の回転軸によって支持された回転槽３も、同形態となっている。
【００１４】
水槽２の下方（外箱１の底面上）には台板２２を配置し、この台板２２上に通風ケース２３を配置している。この通風ケース２３は、前端部の上部に吸風口２４を有しており、この吸風口２４に、前記水槽２の温風出口１１を還風ダクト２５及び蛇腹状の可撓ホース２６を介して接続している。なお、還風ダクト２５は前記ベローズ７の左側を迂回するように配管している。
【００１５】
一方、通風ケース２３の後端部には循環用送風機２７のケーシング２８を接続しており、このケーシング２８の出口部２９を、蛇腹状の可撓ホース３０及び給風ダクト３１を介して、前記水槽２の温風入口１２に接続している。なお、給風ダクト３１は前記モータ１６の左側を迂回するように配管している。
【００１６】
これらの結果、還風ダクト２５、可撓ホース２６、通風ケース２３、ケーシング２８、可撓ホース３０、給風ダクト３１により、前記水槽２の温風出口１１と温風入口１２とを接続して通風路３２が設けられている。
なお、前記循環用送風機２７は、この場合、遠心ファンであり、ケーシング２８の内部に遠心羽根車３３を有していて、その遠心羽根車３３を、ケーシング２８の外部に配設したモータ３４により回転させるようにしている。
【００１７】
しかして、通風路３２中、通風ケース２３の内部には、前部に蒸発器３５を配置しており、後部に凝縮器３６を配置している。これらの蒸発器３５及び凝縮器３６は、図４に示す圧縮機３７及び絞り器（この場合、特には電子式の絞り弁）３８と共にヒートポンプ３９を構成するもので、このヒートポンプ３９においては、接続パイプ４０によって、圧縮機３７、凝縮器３６、絞り弁３８、蒸発器３５の順にこれらをサイクル接続しており（冷凍サイクル）、圧縮機３７が作動することによって図示しない冷媒を流通循環させるようになっている。なお、圧縮機３７は、図３に示すように、通風ケース２３外に並設している。
【００１８】
通風ケース２３（通風路３２）における、上記蒸発器３５と凝縮器３６との間の部分である通風ケース２３の中間部の上壁には、吸気口４１を形成しており、この吸気口４１には電気ヒータ４２を配設している。又、通風ケース２３の凝縮器３６直上の部分には、散水器４３を配設しており、この散水器４３には、注水チューブ４４の先端部を接続し、この注水チューブ４４の反対側の基端部を、前記外箱１内の後上部に取付けた給水弁４５の出口部の一つに接続している。
【００１９】
給水弁４５は、上記注水チューブ４４の基端部を接続した出口部のほかにも、出口部を複数有するもので、それらは前記外箱１内の上部に配置した給水ボックス４６に接続パイプ４７によって接続している。
【００２０】
給水ボックス４６は、詳しくは図示しないが、洗剤投入部並びに柔軟仕上剤投入部を有していて、上記給水弁４５は、出口部の開放の選択により、洗い時に給水ボックス４６の洗剤投入部を経て前記水槽２内に給水し、最終すすぎ時に給水ボックス４６の柔軟仕上剤投入部を経て同じく水槽２内に給水し、そして、洗濯乾燥機が設置されたスペースの冷房をするときに、注水チューブ４４を経て散水器４３に注水するようになっている。
このほか、外箱１の前面部の上部の裏側には、制御装置４８を設けている。この制御装置４８は、例えばマイクロコンピュータを主体とするもので、洗濯乾燥機の作動全般を制御する制御手段として機能するものである。
【００２１】
一方、前記通風路３２における、前記回転槽３と前記蒸発器３５との間の部分である吸風口２４が位置した通風ケース２３の前端部の下部から、機外である前方及び上方へは、吐風路４９を設けている。この吐風路４９は吸風口２４と連通しており、その連通部分には、風路切換ダンパ５０を設けている。
上記風路切換ダンパ５０は、詳細には、吐風路４９側に位置して、上端部を軸５１により上下に回動可能に支持され、その回動によって、上記通風ケース２３の吸風口２４（通風路３２における前記回転槽３と前記蒸発器３５との間の部分）の閉鎖、開放の切換えをし、同時に吐風路４９の開放、閉鎖の切換えをする板状のものから成っている。
【００２２】
吐風路４９には、吐風用送風機５２を設けており、この吐風用送風機５２は、この場合、横流ファンであって、ケーシングを兼ねた吐風路４９の内部に横長の横流羽根車５３を有し、その横流羽根車５３を、吐風路４９の外部に並設したモータ（図示せず）により回転させるようにしている。
【００２３】
そして又、吐風路４９の出口部５４には、開閉部材５５を設けている。この開閉部材５５は、図５にも示すように、軸方向が左右の横軸半円筒状を成すもので、その湾曲した周側部に横長の通風口５６をグリル状に有するほか、軸方向の一端部に軸５７を有し、他端部に図示しない軸を有していて、これらの軸を前記吐風路４９の両側部に回転可能に支承させている。
【００２４】
ここで又、図５は、上記風路切換ダンパ５０及び開閉部材５５を切換え駆動する共通の駆動装置５８をも示している。この駆動装置５８は、図１、図２、及び図６、図７にも示すように、モータ（特にはステッピングモータ）５９を駆動源として有し、そのほか、そのモータ５９の回転軸に取付けた駆動側ギヤ６０と円盤状の第１の駆動側クランク６１、第１の駆動側クランク６１の偏心部位に一端部を回動可能に連結した第１のリンク６２、第１のリンク６２の他端部を一端部に回動可能に連結したレバー状の第１の従動側クランク６３、上記駆動側ギヤ６０に噛合させた従動側ギヤ６４、従動側ギヤ６４に軸６５にて同軸取付けをした円盤状の第２の駆動側クランク６６、第２の駆動側クランク６６の偏心部位に一端部を回動可能に連結した第２のリンク６７、第２のリンク６７の他端部を偏心部位に回動可能に連結した円盤状の第２の従動側クランク６８を有している。
【００２５】
しかして、そのうちの第１の従動側クランク６３の他端部を前記風路切換ダンパ５０の軸５１に取付け、第２の従動側クランク６８の中心部に前記開閉部材５５の軸５７を取付けている。
【００２６】
この結果、モータ５９を回転させれば、図１、図２、及び図６、図７に矢印で示すように、第１の駆動側クランク６１が回転すると共に、駆動側ギヤ６０から従動側ギヤ６４に回転動力が伝達されて第２の駆動側クランク６６が回転する。これら第１の駆動側クランク６１と第２の駆動側クランク６６の回転方向は逆であるが、第１の駆動側クランク６１の回転は第１のリンク６２を介して第１の従動側クランク６３に伝達され、第１の従動側クランク６３は風路切換ダンパ５０の軸５１を回転させて風路切換ダンパ５０を回動させる。又、第２の駆動側クランク６６の回転は第２のリンク６７を介して第２の従動側クランク６８に伝達され、第２の従動側クランク６８は開閉部材５５の軸５７を回転させて開閉部材５５を回動させる。
【００２７】
従って、第１の駆動側クランク６１と第１のリンク６２及び第１の従動側クランク６３は、モータ５９の回転動力を風路切換ダンパ５０に伝える伝動機構６９を構成するものであり、駆動側ギヤ６０と従動側ギヤ６４、軸６５、第２の駆動側クランク６６、第２のリンク６７、及び第２の従動側クランク６８は、モータ５９の回転動力を開閉部材５５に伝える伝動機構７０を構成するものである。
【００２８】
加えて、図１、図２、及び図６、図７には、第１の駆動側クランク６１と並設したマイクロスイッチ７１を示しており、このマイクロスイッチ７１は、明確には図８に示すように、作動ボタン７１ａが第１の駆動側クランク６１の外周カム部６１ａと対応していて、第１の駆動側クランク６１の回転に伴い、外周カム部６１ａで作動ボタン７１ａを出没されることによって、開閉作動するようになっており、それによって、駆動装置５８の駆動状態を検知する検知手段として機能するようになっている。
【００２９】
ここで、駆動装置５８による前記風路切換ダンパ５０の回動は、既述のごとく、通風ケース２３の吸風口２４の閉鎖、開放の切換えをし、同時に吐風路４９の開放、閉鎖の切換えをするものである。一方、開閉部材５５の回動は、吐風路４９の出口部５４に開閉部材５５の通風口５６が合ったときに、吐風路４９の出口部５４を開放するものであり、吐風路４９の出口部５４に開閉部材５５の通風口５６以外の部分が合ったときに、吐風路４９の出口部５４を閉鎖するものである。
【００３０】
従って、マイクロスイッチ７１による駆動装置５８の駆動状態の検知は、風路切換ダンパ５０による吐風路４９の開閉の検知、並びに開閉部材５５による吐風路４９の出口部５４の開閉の検知をすることでもあり、その検知に基づき、風路切換ダンパ５０及び開閉部材５５が正しい開放位置に至ったとき（図２、図７を参照）と、正しい閉鎖位置に至ったとき（図１、図６を参照）に、前記モータ５９に与えたパルス信号を停止し、該モータ５９による風路切換ダンパ５０の回動並びに開閉部材５５の回動を停止させて、それら風路切換ダンパ５０及び開閉部材５５を正しい開放位置と正しい閉鎖位置とに止めるようになっている。
【００３１】
そのほか、図５には、駆動装置５８のケース７２を示しており、このケース７２に、上記モータ５９とマイクロスイッチ７１を収納し、併せて、伝動機構６９，７０の一部である第１の駆動側クランク６１と第１のリンク６２の一端部側、駆動側ギヤ６０、従動側ギヤ６４、軸６５の大部分を収納しており、残りの、軸６５の第２の駆動側クランク６６側端部と、第２の駆動側クランク６６、第２のリンク６７、第２の従動側クランク６８を露出させている。
【００３２】
そして、駆動装置５８は、それらのモータ５９と、伝動機構６９，７０、マイクロスイッチ７１、及びケース７２をあらかじめユニット化しており、そのユニット化した状態で前記通風ケース２３への取付けをし、風路切換ダンパ５０及び開閉部材５５への連結をしている。
【００３３】
更に、図９及び図１０には、駆動装置５８の第２の従動側クランク６８から開閉部材５５への伝動連結をした部分を拡大して表しており、第２の従動側クランク６８の中心部に連結孔７３を形成すると共に、その両側部にそれぞれ、透溝７４，７５と、透溝７６を形成して可撓部７７を形成している。この場合、詳細には、透溝７４，７５は、連結孔７３と連通してその１つの直径方向からそれと直交する方向へとＬ字状に延びるものであり、それに対して、透溝７６は連結孔７３から透溝７４，７５の各外側でそれらに沿うように形成しており、その結果、連結孔７３は両側部が直線状の可撓部７７により平坦となっている。又、可撓部７７が相対する方向と直交する方向の連結孔７３の両側部は円弧状となっている。
【００３４】
それに対して、開閉部材５５の軸５７には、両側部にそれぞれ平坦部７８，７９をそれぞれ点対称に形成しており、この軸５７を上記第２の従動側クランク６８の連結孔７３に挿通して、一組の平坦部７８を可撓部７７に当接させており、かくして、第２の従動側クランク６８から開閉部材５５の軸５７への回転力の伝達が、可撓部７７から平坦部７８への回転力の伝達でなされるようにしている。
【００３５】
次に、上記構成の洗濯乾燥機の作用及び効果を述べる。
上記構成の洗濯乾燥機では、標準的な運転コースが開始されると、最初に洗濯（洗い及びすすぎ）運転が開始される。この洗濯運転では、給水弁４５にて水槽２内に給水する動作が行われ、続いて、モータ１６が作動されることにより、回転槽３が低速で正逆両方向に交互に回転される。これにより、洗濯物は洗濯水と共に撹拌されて洗浄される。
洗濯運転が終了すると、次に、脱水運転が開始される。この脱水運転では、水槽２内の水を排出した後、回転槽３を高速で一方向に回転させる動作が行われる。これにより、回転槽３内の洗濯物は遠心脱水される。
【００３６】
脱水運転が終了すると、次に、乾燥運転が実行される。この乾燥運転では、図１、図３、及び図６に示すように、風路切換ダンパ５０が、通風ケース２３の吸風口２４の開放をし、吐風路４９の閉鎖をする状態にセットされる（開閉部材５５も吐風路４９の出口部５４を閉鎖する状態にセットされる）。この状態で、回転槽３を低速で正逆両方向に回転させつつ、循環用送風機２７を作動させる。すると、遠心羽根車３３の送風作用で、図３に矢印で示すように、回転槽３内の空気が水槽２内から温風出口１１、還風ダクト２５、可撓ホース２６、通風ケース２３の吸風口２４を経て通風ケース２３内に流入される。
【００３７】
又、このときには、ヒートポンプ３９の圧縮機３７の作動が開始される。これにより、ヒートポンプ３９に封入した冷媒が圧縮されて高温高圧の冷媒となり、その高温高圧の冷媒が凝縮器３６に流れて、通風ケース２３内の空気と熱交換する。その結果、通風ケース２３内の空気が加熱され、反対に、冷媒の温度は低下して液化される。この液化された冷媒が、次に、絞り弁３８を通過して減圧された後、蒸発器３５に流入し、気化する。それにより、蒸発器３５は通風ケース２３内の空気を冷却する。蒸発器３５を通過した冷媒は圧縮機３７に戻る。
【００３８】
これらにより、前記回転槽３内から通風ケース２３内に流入した空気は、蒸発器３５で冷却されて除湿され、その後に凝縮器３６で加熱されて温風化される。そして、その温風が可撓ホース３０、給風ダクト３１、温風入口１２、温風通路１９、温風導入口１７、温風導入孔１８を経て回転槽３内に供給される。
【００３９】
回転槽３内に供給された温風は洗濯物の水分を奪った後、前記水槽２内から温風出口１１、還風ダクト２５、可撓ホース２６、通風ケース２３の吸風口２４を経て通風ケース２３内に流入する。
かくして、蒸発器３５と凝縮器３６を有する通風ケース２３と回転槽３との間を空気が循環することにより、回転槽３内の洗濯物が乾燥される。従って、この場合、回転槽３内は乾燥室として機能する。
【００４０】
以上に対して、洗濯乾燥機が設置されたスペースの冷房を行うときには、図２、図７、及び図１１に示すように、風路切換ダンパ５０が、吐風路４９の開放をし、通風ケース２３の吸風口２４の閉鎖をする状態に切換えられ、開閉部材５５は吐風路４９の出口部５４を開放する状態に切換えられる。この状態で、ヒートポンプ３９の圧縮機３７の作動が開始されると共に、吐風用送風機５２が作動される。
【００４１】
これらにより、図１１に実線矢印で示すように、通風ケース２３外の空気が吸気口４１から通風ケース２３内に吸入されて蒸発器３５を通り冷却される。そして、その冷却された空気が、吐風路４９から吐風用送風機５２を通って開閉部材５５が開放した吐風路４９の出口部５４（開閉部材５５の通風口５６）から機外の前方に吐出され、洗濯乾燥機が設置されたスペースの冷房を行う。
【００４２】
又、このときには、図１１に破線矢印で示すように、給水弁４５から注水チューブ４４を経て散水器４３に給水がなされるものであり、この散水器４３に供給された水は、凝縮器３６に降りかかって該凝縮器３６を冷却する。かくして、凝縮器３６からは、蒸発器３５で空気を冷却する際に吸収した熱エネルギーと、圧縮機３７の仕事によって加わった熱エネルギーとが、冷却媒体としての水に放出されるものであり、そして、その水が、吸収した熱エネルギーと共に凝縮器３６から排出されることで、凝縮器３６は異常高温にならず、その分、蒸発器３５は低温になって、冷房システムとして有効に稼動し、洗濯乾燥機が設置されたスペースの冷房が所望にできる。
なお、この凝縮器３６に降りかけた水は、図示しないドレンパンに受けられて、図示しないドレンポンプにより機外に排出される。
【００４３】
このほか、上述の洗濯乾燥機が設置されたスペースの冷房を行う状態で、ヒートポンプ３９を作動させず、代わりに電気ヒータ４２を作動させて、吐風用送風機５２を作動させると、吸気口４１から吸入された通風ケース２３外の空気は、電気ヒータ４２に加熱されて温風化され、その温風が吐風路４９から吐風用送風機５２を通って開閉部材５５が開放した吐風路４９の出口部５４（開閉部材５５の通風口５６）から機外の前方に吐出されることにより、洗濯乾燥機が設置されたスペースの暖房を行う。
【００４４】
このように本構成のものでは、回転槽３（乾燥室）の空気を、ヒートポンプ３９の蒸発器３５、凝縮器３６を配設した通風路３２を通して循環させることにより衣類を乾燥させ、風路切換ダンパ５０により、上記通風路３２から機外に通じた吐風路４９の開放をし、通風路３２外の空気を通風路３２に設けた吸気口４１から上記蒸発器３５、吐風路４９、並びに該吐風路４９に設けた開閉部材５５が開放した出口部５４を通して機外に吐出するように切換えるものにおいて、上記風路切換ダンパ５０及び開閉部材５５を、共通の駆動装置５８により切換え駆動するようにしている。
【００４５】
それにより、風路切換ダンパ５０及び開閉部材５５の切換え駆動が別々の駆動装置を要することなくできるものであり、もってコスト安に製品を提供することができる。又、製品の組立て等を煩雑にすることもないようにできる。
【００４６】
加えて、本構成のものの場合、上記駆動装置５８の駆動状態を検知する検知手段としてマイクロスイッチ７１を有している。これにより、風路切換ダンパ５０及び開閉部材５５の開閉の検知も共通の検知手段でできて、それらの検知をして風路切換ダンパ５０及び開閉部材５５の開閉制御をするものを、一層コスト安に提供することができる。
【００４７】
又、上記駆動装置５８は、駆動源としてのモータ３４と、このモータ３４の回転動力を風路切換ダンパ５０及び開閉部材５５に伝える伝動機構６９，７０、マイクロスイッチ７１、及びモータ３４とマイクロスイッチ７１（検知手段）を収納するケース７２をユニット化して成るものとしている。これにより、駆動装置５８の取付け、連結がそのユニット化をしたまとめた状態でできて、組立性を一層良くすることができる。
【００４８】
更に、開閉部材５５の伝動連結が可撓部７７でなされるようにしている。これにより、開閉部材５５が異物の詰まり等で回転しにくくなって、駆動装置５８の過負荷となっているときには、可撓部７７が撓んで、当接した平坦部７８から離脱することにより、開閉部材５５への伝動を回避するから、開閉部材５５を無理に開閉させるようにして破損を来たすことのないようにできる。
なお、開閉部材５５の軸５７には、平坦部７８のほかに平坦部７９もある。これは、平坦部７８で駆動装置５８の過負荷となることが容易に発生した場合に、平坦部７９で可撓部７７に当接するように変えて、過負荷となることの発生を避けるためであり、すなわち、開閉部材５５の伝動調整ができるようにしている。
【００４９】
本発明は上記し且つ図面に示した実施例にのみ限定されるものではなく、特に洗濯乾燥機全体としては、上述の横軸形に限られず、水槽及び回転槽を縦軸状に有する縦軸形であっても良いし、又、本来的には洗濯と乾燥の両機能を有する洗濯乾燥機に限られず、乾燥機能のみを有する衣類乾燥機に適用できるなど、要旨を逸脱しない範囲内で適宜変更して実施し得る。
【図面の簡単な説明】
【００５０】
【図１】本発明の一実施例を示す、主要部分の一部を取除いた状態での側面図
【図２】状態の異なる、主要部分の一部を取除いた状態での側面図
【図３】全体の縦断側面図
【図４】ヒートポンプのサイクル構成図
【図５】主要部分の斜視図
【図６】主要中枢部分の斜視図
【図７】状態の異なる主要中枢部分の斜視図
【図８】検知手段部分の側面図
【図９】開閉部材の伝動連結部分の拡大側面図
【図１０】開閉部材の伝動連結部分の分解斜視図
【図１１】状態の異なる図３部分相当図
【符号の説明】
【００５１】
図面中、３は回転槽（乾燥室）、３２は通風路、３５は蒸発器、３６は凝縮器、３９はヒートポンプ、４１は吸気口、４９は吐風路、５０は風路切換ダンパ、５４は吐風路の出口部、５５は開閉部材、５８は駆動装置、５９はモータ、６９，７０は伝動機構、７１はマイクロスイッチ（検知手段）、７２はケース、７７は可撓部を示す。
【図１】
2008284142.tif 000003
【図２】
2008284142.tif 000004
【図３】
2008284142.tif 000005
【図４】
2008284142.tif 000006
【図５】
2008284142.tif 000007
【図６】
2008284142.tif 000008
【図７】
2008284142.tif 000009
【図８】
2008284142.tif 000010
【図９】
2008284142.tif 000011
【図１０】
2008284142.tif 000012
【図１１】
2008284142.tif 000013